(57)【要約】【課題】光ディスクの品質のバラツキや装置本体の性能のバラツキがあっても、最適な記録パワーが決定することが可能な光ディスク装置および記録パワー決定方法を提供する。【解決手段】この光ディスク装置では、最適な記録パワーが決定できなかった場合、パワー変化幅をＷ１よりも所定値ΔＷだけ大きなＷ２（＝Ｗ１＋ΔＷ）に設定変更する（ステップＳ３）。さらに、パワー変化幅をＮ回設定変更しても最適な記録パワーが決定できなかった場合は、Ｂｅｔａ値の目標値をＴ１よりも所定値ΔＴだけ小さなＴ２（＝Ｔ１−ΔＴ）に設定変更する（ステップＳ７）。【選択図】図４
2007115334.tif 000002
【特許請求の範囲】
【請求項１】
光ディスクの記録および再生を行なう光ディスク装置であって、
前記光ディスクの表面にレーザ光を照射し、その反射光に応じた電気信号を出力する光ピックアップ、および
前記光ピックアップのレーザ光の記録パワーを予め定められたパワー変化幅で段階的に強くするとともに、前記光ピックアップからの電気信号に基づいて前記光ディスクの記録状態を示すＢｅｔａ値を算出し、予め定められた目標値に近似したＢｅｔａ値に対応する記録パワーを最適な記録パワーとして決定する最適パワー制御を行なう制御手段を備え、
前記制御手段は、最適な記録パワーが決定できなかった場合、前記予め定められたパワー変化幅を大きくして再度前記最適パワー制御を行ない、さらに最適な記録パワーが決定できなかった場合、前記予め定められた目標値を低くして再度前記最適パワー制御を行なうことを特徴とする、光ディスク装置。
【請求項２】
光ディスクの記録および再生を行なう光ディスク装置であって、
前記光ディスクの表面にレーザ光を照射し、その反射光に応じた電気信号を出力する光ピックアップ、および
前記光ピックアップのレーザ光の記録パワーを予め定められたパワー変化幅で段階的に強くするとともに、前記光ピックアップからの電気信号に基づいて前記光ディスクの記録状態を示す指標値を算出し、予め定められた目標値に近似した指標値に対応する記録パワーを最適な記録パワーとして決定する最適パワー制御を行なう制御手段を備え、
前記制御手段は、最適な記録パワーが決定できなかった場合、前記予め定められたパワー変化幅を大きくして再度前記最適パワー制御を行なうことを特徴とする、光ディスク装置。
【請求項３】
前記制御手段は、前記予め定められたパワー変化幅を大きくしても最適な記録パワーが決定できなかった場合、前記予め定められた目標値を低くして再度前記最適パワー制御を行なうことを特徴とする、請求項２に記載の光ディスク装置。
【請求項４】
前記指標値は、Ｂｅｔａ値であることを特徴とする、請求項２または請求項３に記載の光ディスク装置。
【請求項５】
前記指標値は、Ｍｏｄｕｌａｔｉｏｎ値であることを特徴とする、請求項２または請求項３に記載の光ディスク装置。
【請求項６】
光ディスクの表面にレーザ光を照射し、その反射光に応じた電気信号を出力する光ピックアップを備え、前記光ディスクの記録および再生を行なう光ディスク装置の記録パワー決定方法であって、
前記光ピックアップのレーザ光の記録パワーを予め定められたパワー変化幅で段階的に強くするとともに、前記光ピックアップからの電気信号に基づいて前記光ディスクの記録状態を示す指標値を算出し、予め定められた目標値に近似した指標値に対応する記録パワーを最適な記録パワーとして決定する最適パワー制御を行なう第１のステップ、および
前記第１のステップで最適な記録パワーが決定できなかった場合、前記予め定められたパワー変化幅を大きくして再度前記最適パワー制御を行なう第２のステップを含むことを特徴とする、記録パワー決定方法。
【請求項７】
さらに、前記第２のステップで最適な記録パワーが決定できなかった場合、前記予め定められた目標値を低くして再度前記最適パワー制御を行なう第３のステップを含むことを特徴とする、請求項６に記載の記録パワー決定方法。
【発明の詳細な説明】
【技術分野】
【０００１】
この発明は、光ディスク装置および記録パワー決定方法に関し、特に、光ディスクの記録および再生を行なう光ディスク装置およびその記録パワー決定方法に関する。
【背景技術】
【０００２】
ＯＰＣ（Optimum Power Control：最適パワー制御）では、ＤＶＤ−Ｒ／ＲＷやＣＤ−Ｒ／ＲＷなどの記録可能な光ディスクにデータの記録を行なう前に、最適な記録パワーを決定する。
【０００３】
たとえば、下記の特許文献１には、光ディスクへ記録するデータの再生信号品位を向上させて、最適な状態でデータを光ディスクに記録する方法が開示されている。これによると、実測値と目標値との差が大きいときはサーボゲインを大きくし、実測値と目標値との差が小さいときはサーボゲインを小さくして、記録レーザパワーを制御する。
【０００４】
また、下記の特許文献２には、ディスクの機械的変動特性やピックアップのローリング特性等がある場合でも、正確な記録特性を安定して確保し、エラーの生じない記録または再生可能な光ディスクの記録方法が開示されている。これによると、一定強度のレーザパワーを用いてテストデータを得て偏差を算出した後、強度が段階的に変化するレーザパワーを用いてテストデータを得て、最適記録レーザパワーを決定する。
【特許文献１】特開２００３−２８１７２７号公報
【特許文献２】特開２００４−３１９０２４号公報
【発明の開示】
【発明が解決しようとする課題】
【０００５】
しかしながら、光ディスクの感度ムラ、反り、面振れなどにより、光ディスクごと品質のバラツキがある。また、装置ごとに性能（記録パワー制御の精度など）のバラツキがある。このため、ＯＰＣを実行しても最適な記録パワーが決定できないことがあった。
【０００６】
それゆえに、この発明の主たる目的は、光ディスクの品質のバラツキや装置本体の性能のバラツキがあっても、最適な記録パワーが決定することが可能な光ディスク装置および記録パワー決定方法を提供することである。
【課題を解決するための手段】
【０００７】
この発明に係わる光ディスク装置は、光ディスクの記録および再生を行なう光ディスク装置であって、光ディスクの表面にレーザ光を照射し、その反射光に応じた電気信号を出力する光ピックアップと、光ピックアップのレーザ光の記録パワーを予め定められたパワー変化幅で段階的に強くするとともに、光ピックアップからの電気信号に基づいて光ディスクの記録状態を示すＢｅｔａ値を算出し、予め定められた目標値に近似したＢｅｔａ値に対応する記録パワーを最適な記録パワーとして決定する最適パワー制御を行なう制御手段とを備え、制御手段は、最適な記録パワーが決定できなかった場合、予め定められたパワー変化幅を大きくして再度最適パワー制御を行ない、さらに最適な記録パワーが決定できなかった場合、予め定められた目標値を低くして再度最適パワー制御を行なうことを特徴とする。
【０００８】
この発明に係わる他の光ディスク装置は、光ディスクの記録および再生を行なう光ディスク装置であって、光ディスクの表面にレーザ光を照射し、その反射光に応じた電気信号を出力する光ピックアップと、光ピックアップのレーザ光の記録パワーを予め定められたパワー変化幅で段階的に強くするとともに、光ピックアップからの電気信号に基づいて光ディスクの記録状態を示す指標値を算出し、予め定められた目標値に近似した指標値に対応する記録パワーを最適な記録パワーとして決定する最適パワー制御を行なう制御手段とを備え、制御手段は、最適な記録パワーが決定できなかった場合、予め定められたパワー変化幅を大きくして再度最適パワー制御を行なうことを特徴とする。
【０００９】
好ましくは、制御手段は、予め定められたパワー変化幅を大きくしても最適な記録パワーが決定できなかった場合、予め定められた目標値を低くして再度最適パワー制御を行なうことを特徴とする。
【００１０】
また好ましくは、指標値は、Ｂｅｔａ値であることを特徴とする。
また好ましくは、指標値は、Ｍｏｄｕｌａｔｉｏｎ値であることを特徴とする。
【００１１】
この発明に係わる記録パワー決定方法は、光ディスクの表面にレーザ光を照射し、その反射光に応じた電気信号を出力する光ピックアップを備え、光ディスクの記録および再生を行なう光ディスク装置の記録パワー決定方法であって、光ピックアップのレーザ光の記録パワーを予め定められたパワー変化幅で段階的に強くするとともに、光ピックアップからの電気信号に基づいて光ディスクの記録状態を示す指標値を算出し、予め定められた目標値に近似した指標値に対応する記録パワーを最適な記録パワーとして決定する最適パワー制御を行なう第１のステップと、第１のステップで最適な記録パワーが決定できなかった場合、予め定められたパワー変化幅を大きくして再度最適パワー制御を行なう第２のステップとを含むことを特徴とする。
【００１２】
好ましくは、さらに、第２のステップで最適な記録パワーが決定できなかった場合、予め定められた目標値を低くして再度最適パワー制御を行なう第３のステップを含むことを特徴とする。
【発明の効果】
【００１３】
この発明によれば、最適パワー制御に用いられるパワー変化幅または目標値を設定変更することにより、光ディスクの品質のバラツキや装置本体の性能のバラツキがあっても、最適な記録パワーが決定することが可能になる。
【発明を実施するための最良の形態】
【００１４】
図１は、この発明の一実施の形態による光ディスク装置の概略構成を示すブロック図である。図１において、この光ディスク装置は、光ディスク１と、モータ２と、光ピックアップ３と、ＲＦアンプ４と、記録パワー制御回路５と、システム制御部６と、記憶部７とを備える。
【００１５】
モータ２は、ＣＤやＤＶＤなどの光ディスク１を回転駆動する。光ピックアップ３は、ディスク１の半径方向に移動しながら、光ディスク１の表面にレーザ光を照射してデータの記録を行なうとともに、反射光を電気信号に変換して出力する。ＲＦアンプ４は、光ピックアップ３からの電気信号を増幅して再生信号（ＲＦ信号）をデコーダおよびシステム制御部６に出力する。記録パワー制御回路５は、光ピックアップ３から照射されるレーザ光の記録パワーを制御する。システム制御部６は、光ディスク装置全体の動作を制御する。このシステム制御部６は、光ディスクにデータの記録を行なう前に最適な記録パワーを決定するＯＰＣを実行する。記憶部７は、ＯＰＣに実行に用いられる各種パラメータを記憶する。
【００１６】
ＯＰＣでは、光ディスクの記録領域の最内周側にあるＰＣＡ（Power Calibration Area：パワー計算領域）に、記録パワーを段階的に強くしながらテストデータの試し書きを行ない、テストデータを再生したときの再生信号に基づいて最適な記録パワーを決定する。
【００１７】
ＤＶＤ−ＲやＣＤ−Ｒなどの一度だけデータの書き込みを行なうことができる追記型の光ディスクに対しては、たとえばＢｅｔａ法が用いられる。Ｂｅｔａ法では、システム制御部６がテストデータの再生信号に基づいて記録状態を示すＢｅｔａ値（指標値）を算出する。Ｂｅｔａ値は、再生信号のピークレベルＡとボトムレベルＢを用いると（Ａ＋Ｂ）／（Ａ−Ｂ）で表わされる。そして、予め設定された目標値（Ｔａｒｇｅｔ値）に近似したＢｅｔａ値に対応する記録パワーを最適な記録パワーとして決定する。
【００１８】
また、ＤＶＤ−ＲＷやＣＤ−ＲＷなどのデータを書換えることができる書換え型の光ディスクに対しては、たとえばＭｏｄｕｌａｔｉｏｎ法が用いられる。Ｍｏｄｕｌａｔｉｏｎ法では、システム制御部６がテストデータの再生信号に基づいて記録状態を示すＭｏｄｕｌａｔｉｏｎ値（指標値）を算出する。Ｍｏｄｕｌａｔｉｏｎ値は、再生信号のピークレベルＡとボトムレベルＢを用いると（Ａ−Ｂ）／Ａで表わされる。そして、予め設定された目標値に近似したＭｏｄｕｌａｔｉｏｎ値に対応する記録パワーを最適な記録パワーとして決定する。
【００１９】
図２は、Ｂｅｔａ法を用いた場合の記録パワーとＢｅｔａ値との関係を示す図である。図２を参照して、所定のパワー変化幅Ｗで記録パワーを段階的に強くしながらテストデータの試し書きが行なわれ、テストデータを再生したときの再生信号に基づいてＢｅｔａ値が算出される。Ｂｅｔａ値の目標値は、たとえば−０．０５０〜０．１５０の範囲内で予め設定される。たとえば目標値が０．０００に設定された場合、目標値（０．０００）に近似したＢｅｔａ値に対応する記録パワー（図２では約１３．５［ｍＷ］）が、最適な記録パワーとして決定される。
【００２０】
しかしながら、光ディスクの感度ムラ、反り、面振れなどにより、光ディスクごと品質のバラツキがある。また、装置ごとに性能（記録パワーの制御精度など）のバラツキがある。このため、従来はＯＰＣを実行しても最適な記録パワーが決定できないことがあった。たとえば、図３に示すように、所定のパワー変化幅Ｗ１で記録パワーを段階的（５段階）に強くしながらテストデータの試し書きを行なった場合に、再生信号に基づいて算出されたＢｅｔａ値が目標値Ｔ１まで到達しない場合があった。このような場合、Ｂｅｔａ値と目標値Ｔ１との乖離が大きいと最適な記録パワーが決定できないという問題があった。そこで、この一実施の形態では、このような問題の解決が図られている。
【００２１】
図４は、図１に示したシステム制御部６の動作を示すフローチャートである。図４を参照して、ステップＳ１において、所定のパワー変化幅Ｗ１で記録パワーを段階的に強くしながらテストデータの試し書きを行ない、テストデータを再生したときの再生信号に基づいて最適な記録パワーを決定するＯＰＣを実行する。ステップＳ２で、ＯＰＣの実行により最適な記録パワーが決定できたかどうかを判別する。最適な記録パワーが決定できなかった場合は、ステップＳ３に進み、パワー変化幅をＷ１よりも所定値ΔＷだけ大きなＷ２（＝Ｗ１＋ΔＷ）に設定変更する。続いて、ステップＳ４で再度ＯＰＣを実行した後、ステップＳ５で、ＯＰＣの実行により最適な記録パワーが決定できたかどうかを判別する。最適な記録パワーが決定できなかった場合は、ステップＳ６に進み、パワー変化幅を設定変更した回数が所定回数Ｎに到達したかどうかを判別する。所定回数Ｎに到達していない場合は、ステップＳ３に戻ってパワー変化幅をＷ２よりも所定値ΔＷだけ大きなＷ３（＝Ｗ１＋２×ΔＷ）に設定変更する。そして、設定変更回数が所定回数Ｎに到達するまで、ステップＳ３からステップＳ６までの動作が繰返される。
【００２２】
図５は、パワー変化幅を設定変更して最適な記録パワーが決定された場合を示す図である。図５において、パワー変化幅が４回設定変更されてＷ５（＝Ｗ１＋４×ΔＷ）になっている。このとき、最大の記録パワーＰｍａｘに対応するＢｅｔａ値が目標値Ｔ１まで到達しており、この記録パワーＰｍａｘが最適な記録パワーとして決定される。
【００２３】
再び図４に戻って、パワー変化幅をＮ回設定変更しても最適な記録パワーが決定できなかった場合はステップＳ６からステップＳ７に進む。ステップＳ７でＢｅｔａ値の目標値をＴ１よりも所定値ΔＴだけ小さなＴ２（＝Ｔ１−ΔＴ）に設定変更した後、ステップＳ８で再度ＯＰＣを実行する。
【００２４】
図６は、目標値を設定変更して最適な記録パワーが決定された場合を示す図である。図６において、Ｎ＝４とした場合にパワー変化幅が４回設定変更されてＷ５になっても、最大の記録パワーＰｍａｘに対応するＢｅｔａ値が目標値Ｔ１まで到達しなかったため、目標値がＴ１よりも所定値ΔＴだけ小さなＴ２（＝Ｔ１−ΔＴ）に設定変更されている。このとき、最大の記録パワーＰｍａｘに対応するＢｅｔａ値が目標値Ｔ２まで到達しており、この記録パワーＰｍａｘが最適な記録パワーとして決定される。
【００２５】
ただし、Ｂｅｔａ値の目標値はたとえば−０．０５０〜０．１５０の範囲内で設定変更されるものとする。なお、図４および図６では、目標値を一回しか設定変更しない場合を示したが、目標値を複数回設定変更できるようにしてもよい。
【００２６】
ＯＰＣに用いられる各種パラメータ（パワー変化幅、目標値、記録パワー、Ｂｅｔａ値など）は記憶部７に格納され、システム制御部６は記憶部７に格納された目標値およびパワー変化幅を設定変更する。
【００２７】
したがって、この一実施の形態では、ＯＰＣに用いられるパワー変化幅や目標値を設定変更することにより、光ディスクの品質のバラツキや装置本体の性能のバラツキがあっても、最適な記録パワーが決定することが可能になる。
【００２８】
なお、ここではＢｅｔａ法を用いた場合の動作について説明したが、Ｍｏｄｕｌａｔｉｏｎ法を用いた場合も同様の動作および効果が成立する。ただし、Ｍｏｄｕｌａｔｉｏｎ値の目標値は、たとえば０．６以上の値に設定する。
【００２９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３０】
【図１】この発明の一実施の形態による光ディスク装置の概略構成を示すブロック図である。
【図２】Ｂｅｔａ法を用いた場合の記録パワーとＢｅｔａ値との関係を示す図である。
【図３】ＯＰＣを実行しても最適な記録パワーが決定できない場合を示す図である。
【図４】図１に示したシステム制御部６の動作を示すフローチャートである。
【図５】パワー変化幅を設定変更して最適な記録パワーが決定された場合を示す図である。
【図６】目標値を設定変更して最適な記録パワーが決定された場合を示す図である。
【符号の説明】
【００３１】
１  光ディスク、２  モータ、３  光ピックアップ、４  ＲＦアンプ、５  記録パワー制御回路、６  システム制御部、７  記憶部。
【図１】
2007115334.tif 000003
【図２】
2007115334.tif 000004
【図３】
2007115334.tif 000005
【図４】
2007115334.tif 000006
【図５】
2007115334.tif 000007
【図６】
2007115334.tif 000008